(57)【特許請求の範囲】
【請求項１】
ミシン目による易開封性手段と、再接着性がない可剥離性接着剤による密封手段ならびに封筒内の書類の移動防止手段と、を備える易開封性封筒であって、
前記易開封性手段は、封筒の封止側ボトム端折れスジから開口側フラップ方向に一定の間隔を空けて天地部とサイド部と糊下部を直線状に横断するミシン目を設けると共に、天地部とサイド部との境界および天地部と糊下部との境界に備わる折れスジと前記ミシン目とが交差する位置に開封開始穴を其々設けて成り、
前記密封手段ならびに前記移動防止手段は、前記ミシン目が設けられる位置から開口側フラップ方向に一定幅の空白領域を空けて天地部とサイド部と糊下部を直線状に横断する可剥離性接着剤塗布領域を設けて成り、
前記ミシン目を破ることによって封筒の開封性を容易なものとし、前記可剥離性接着剤塗布領域が設けられることによって封筒内の書類が収められる領域の密封性を確保すると共に、封筒内の書類のミシン目側への移動を制限することを特徴とする易開封性封筒。
【請求項２】
前記封筒の空白領域に、ミシン目に沿って綴じ込み穴を列設したことを特徴とする請求項１記載の易開封性封筒。
【請求項３】
前記封筒の開口側フラップの内側には剥離紙で覆被した強接着糊層を設けると共に、前記封筒の封止側ボトムの内側には強接着糊層を設けることで、其々貼着可能としたことを特徴とする請求項１または請求項２記載の易開封性封筒。
【発明の詳細な説明】
【技術分野】
【０００１】
本発明は、ミシン目による易開封性手段と、再接着性がない可剥離性接着剤による密封手段ならびに封筒内の書類の移動防止手段を備える封筒に関する。
【背景技術】
【０００２】
従来、受け取った封筒を開封する方法としては、ハサミやペーパーナイフ等の道具を使って開封する方法と、封筒の端部を指で千切って開封する方法が一般的に採られている。
【０００３】
上記の道具を使って開封する方法は、封筒を開封する度にハサミやペーパーナイフ等の道具を用意しなければならないため面倒である一方、指で千切って開封する方法は、封筒の開封口を綺麗に揃えた状態で開封することができないもので、さらに封筒に内封されている書類が開封口の方向に移動して開封の際に書類の端を切り取ってしまったり、破ったりしてしまう問題点があるものであった。
【０００４】
従来より、上記の問題点を解決しようとする提案がなされている。例えば、封筒の封止側の開口部にミシン目を設けて開封を容易にした「ミシン目を設けた封筒」（特許文献１）が提案されている。
【０００５】
しかしながら、上記の「ミシン目を設けた封筒」の提案は、封筒の封止側の開口部にミシン目が設けられることによって、該ミシン目を形成する切り欠き状の連続穴が封筒の密封性を阻害するもので、封筒にミシン目が開けられることによって内封されている書類が雨や水滴で濡れて損傷する問題点があると共に、内封されている書類が封筒内でミシン目側に移動してしまうため、ミシン目を開封する際に書類の端部を破傷させてしまう問題点があり、再接着性がない可剥離性接着剤による密封手段ならびに封筒内の書類の移動防止手段を備える封筒ではなかった。
【０００６】
また従来において、封筒の開口側フラップの折れスジに沿って開封用の切り糸を設けた「封筒」（特許文献２）も提案されている。
【０００７】
しかしながら、上記の「封筒」の提案は、封筒の開封側の折り返し部に開封用の切り糸を設ける必要があるため、封筒の製造単価のコストアップに繋がると共に、製造工程が複雑となるものであり、また、切り糸の端部が封筒の外部に突出することによって、郵便物を仕分けする自動仕分け装置に絡んでしまって該装置の故障の原因になると共に、封筒自体が損傷してしまう問題点があり、上記同様、再接着性がない可剥離性接着剤による密封手段ならびに封筒内の書類の移動防止手段を備える封筒ではなかった。
【０００８】
また、ミシン目に沿って鋸刃状の厚紙を備えて開封行為を容易にする「簡単開封封筒」（特許文献３）も従来提案されている。
【０００９】
しかしながら、上記の「簡単開封封筒」の提案は、ミシン目の開封行為を容易にするために封筒の開封口に厚紙を備えたもので、該厚紙を備えることで郵便物の重量が増して郵送料の増加に繋がる問題と、封筒の製造単価のコストアップに繋がる問題があり、上記同様、再接着性がない可剥離性接着剤による密封手段ならびに封筒内の書類の移動防止手段を備える封筒ではなかった。
【００１０】
さらに従来において、封筒のフタにつまみとミシン目とフタの裏面または封筒本体にストッパー用接着部を施した「封筒」（特許文献４）が提案されている。
【００１１】
しかしながら、上記の「封筒」の提案は、つまみを指で掴んで上方に目繰り上げて切り取られる蛇腹状の切り取りミシン目をＶ字状に切り取って開封する構造であるが、中央のつまみを指で掴んだ状態で上方に目繰り上げていくことで蛇腹状の切り取りミシン目をＶ字状に拡がりながら切り取ることは力学上困難（逆Ｖ字状に狭まる方向に切り取ることは可能）であり、多少切り取られた蛇腹状の切り取りミシン目に指を差し込みつつ上方にスライドさせながら片面づつ切り取らなければ綺麗に開封することが不可能であって、面倒且つ難儀であると共に、封筒内の密封性に関して、蛇腹状の切り取りミシン目の穴によって内封されている書類が雨や水滴で濡れてしまう問題点があるものであり、易開封性手段と再接着性がない可剥離性接着剤による密封手段ならびに封筒内の書類の移動防止手段を備える封筒ではなかった。
【００１２】
また従来、封筒の開封側の折り返し部に蛇腹状の切り取りミシン目を設けて封筒の開封行為を容易にする「切り取りミシン目付き封筒」（特許文献５）が提案されている。
【００１３】
しかしながら、上記の「切り取りミシン目付き封筒」の提案は、切り取られる蛇腹状の切り取りミシン目の端面が封筒の裏面に貼着されていないため、該ミシン目の端面が郵便物を仕分けする自動仕分け装置に絡んだりすることで封筒自体が損傷する可能性があると共に、開封時に蛇腹状の切り取りミシン目が途中で千切れて開封行為をより手間のかかる状態にする可能性があるものであった。また、封筒内の密封性に関しては、封筒の開口側フラップが単に二つ折りになっている構造から、内封されている書類が糊等で完全密封されておらず、雨や水滴で濡れてしまう問題点と、ミシン目によって切り取られた折り目部位の封片が僅かに残るため、封筒から書類を取り出す時にその僅かに残る折り目部位の封片を指先で拡げて開封しなければならず、面倒且つ難儀なものであり、上記同様、易開封性手段と再接着性がない可剥離性接着剤による密封手段ならびに封筒内の書類の移動防止手段を備える封筒ではなかった。
【００１４】
さらに従来、封筒の裏側に蛇腹状の切り取りミシン目を設け、その上から封止用の外側舌片を覆い被せて外見の見栄えを良くした「封筒」（特許文献６）が提案されている。
【００１５】
しかしながら、上記の「封筒」の提案は、単純に蛇腹状の切り取りミシン目に対し封止用の外側舌片を覆い被せて外見の見栄えを良くした提案に過ぎないものであり、例えば開封行為に関しては、特許文献６の図１に示されるように、蛇腹状の切り取りミシン目の一部が外側舌片の両端からはみ出していることによって密封性が確保できない問題があると共に、特許文献６の図２に示されるように外側舌片と蛇腹状の切り取りミシン目が開封された状態になるには、外側舌片の折り返し線方向にミシン目が設けられていなければ図示される開封状態にならないものであり、さらに特許文献６の図３の状態で封筒に内封された書類を取り出す時に、書類の角面が封筒の開封側の残された両角部に引っかかって取り出しにくい問題点があるものであって、上記同様、易開封性手段と再接着性がない可剥離性接着剤による密封手段ならびに封筒内の書類の移動防止手段を備える封筒ではなかった。
【００１６】
またさらに、封筒の封緘片と封緘時に封緘片に対向する対応部との重ね合わせ面に再剥離性接着手段を設けた「封筒」（特許文献７）も従来提案されている。
【００１７】
しかしながら、上記の「封筒」の提案は、単純に封筒の封緘片に再接着性がない可剥離性接着剤を使用した提案に過ぎないものであり、また他人による不正開封行為に対して一辺開口型にするには専用の封緘装置が必要であるため、一般家庭で使用することは困難なものであると共に、封筒を貼着する可剥離性接着剤の剥離性は故意の不正開封行為を発見することはできるが、不正開封行為がなされない絶対的信頼性がある提案とは言い切れないものであり、上記同様、易開封性手段と再接着性がない可剥離性接着剤による密封手段ならびに封筒内の書類の移動防止手段を備える封筒ではなかった。
【００１８】
本出願人は、以上のような封筒に施されるミシン目による易開封性と相反する密封性の問題点と、書類の封筒内の移動性の問題点に着目し、それらの問題点を簡便且つ容易な手段で解決できないものかという着想の下、ミシン目による易開封性手段と、再接着性がない可剥離性接着剤による密封手段ならびに封筒内の書類の移動防止手段を備えることによって、上記のミシン目による易開封性と相反する密封性の問題点と書類の封筒内の移動性の問題点を解決する易開封性の封筒を開発し、本発明における「易開封性封筒」の提案に至るものである。
【先行技術文献】
【特許文献】
【００１９】
【特許文献１】実用新案登録第３０３０３１０号公報
【特許文献２】特開２００９-２９４８８号公報
【特許文献３】特許第３９０２６９３号公報
【特許文献４】特開２００２-１９７８７号公報
【特許文献５】実用新案登録第３０８９４３９号公報
【特許文献６】特許第３９１７８６１号公報
【特許文献７】特開２００１-２３３３４６号公報
【発明の概要】
【発明が解決しようとする課題】
【００２０】
本発明は上記問題点を鑑み、ミシン目による易開封性手段と、再接着性がない可剥離性接着剤による密封手段ならびに封筒内の書類の移動防止手段を備える易開封性封筒を提供することを課題とする。
【課題を解決するための手段】
【００２１】
本発明の易開封性封筒は、ミシン目による易開封性手段と、再接着性がない可剥離性接着剤による密封手段ならびに封筒内の書類の移動防止手段と、を備える易開封性封筒であって、前記易開封性手段は、封筒の封止側ボトム端折れスジから開口側フラップ方向に一定の間隔を空けて天地部とサイド部と糊下部を直線状に横断するミシン目を設けると共に、天地部とサイド部との境界および天地部と糊下部との境界に備わる折れスジと前記ミシン目とが交差する位置に開封開始穴を其々設けて成り、前記密封手段ならびに前記移動防止手段は、前記ミシン目が設けられる位置から開口側フラップ方向に一定幅の空白領域を空けて天地部とサイド部と糊下部を直線状に横断する可剥離性接着剤塗布領域を設けて成り、前記ミシン目を破ることによって封筒の開封性を容易なものとし、前記可剥離性接着剤塗布領域が設けられることによって封筒内の書類が収められる領域の密封性を確保すると共に、封筒内の書類のミシン目側への移動を制限する手段を採る。
【００２２】
また本発明の易開封性封筒は、前記封筒の空白領域にミシン目に沿って綴じ込み穴を列設した手段を採る。
【００２３】
また本発明の易開封性封筒は、前記封筒の開口側フラップの内側には剥離紙で覆被した強接着糊層を設けると共に、前記封筒の封止側ボトムの内側には強接着糊層を設けることで、其々貼着可能とした手段を採る。
【発明の効果】
【００２４】
本発明の易開封性封筒によれば、封筒の封止側ボトム端折れスジから開口側フラップ方向に一定の間隔を空けて天地部とサイド部と糊下部を直線状に横断するミシン目を形成することで、両手で簡単にミシン目を容易に引き裂くことができると共に、ミシン目を引き裂く行為をしなければ封筒を開封することができない構造であることから、不正開封がされない絶対的信頼性と密封性を有するもので、秘密性の高い信書や重要書類、現金書留、書留郵便物などに使用することができるという優れた効果を奏する。
【００２５】
また本発明の易開封性封筒によれば、ミシン目が設けられる位置から開口側フラップ方向に一定幅の空白領域を空けて天地部とサイド部と糊下部を直線状に横断する可剥離性接着剤塗布領域を設けることで、開口側フラップの貼着領域と可剥離性接着剤塗布領域の貼着領域で形成される封筒内の書類が収められる領域を完全に孤立させて密封性を確保することができると共に、封筒内に可剥離性接着剤塗布領域が設けられることによって、封筒内の書類のミシン目側への移動を制限することができるといった優れた効果を奏する。
【００２６】
また本発明の易開封性封筒によれば、ミシン目が設けられる位置から開口側フラップ方向に一定幅の空白領域を空けることによって、ミシン目で開封された開口口を該空白領域を使って両手で簡単に押し広げて可剥離性接着剤塗布領域を剥がすことが可能であり、封筒内の書類を容易に取り出すことができる優れた効果を奏する。
【００２７】
また本発明の易開封性封筒によれば、ミシン目による易開封性手段と、再接着性がない可剥離性接着剤による密封手段ならびに封筒内の書類の移動防止手段は、製造工程における大幅なコストアップが図られることなく設けることができるという優れた効果と共に、センター貼り封筒に限らず内カマス貼り封筒や外カマス貼り封筒、ダイヤモンド貼り封筒などにも設けることが可能である。
【００２８】
また本発明の易開封性封筒によれば、封筒の空白領域にミシン目に沿って綴じ込み穴を列設する態様を採用することにより、使用済みになった易開封性封筒や保存用の易開封性封筒をリング式綴じ込みバインダーに綴じて保管することもできるといった優れた効果を奏する。
【図面の簡単な説明】
【００２９】
【図１】本発明における請求項１記載の易開封性封筒の実施形態を示す説明図である。（実施例１）
【図２】本発明における請求項２記載の易開封性封筒の実施形態を示す説明図である。（実施例２）
【図３】本発明における請求項３記載の易開封性封筒の実施形態を示す説明図である。（実施例３）
【発明を実施するための形態】
【００３０】
本発明の易開封性封筒は、ミシン目による易開封性手段と、再接着性がない可剥離性接着剤による密封手段ならびに封筒内の書類の移動防止手段と、を備える易開封性封筒であって、前記易開封性手段は、封筒の封止側ボトム端折れスジから開口側フラップ方向に一定の間隔を空けて天地部とサイド部と糊下部を直線状に横断するミシン目を設けると共に、天地部とサイド部との境界および天地部と糊下部との境界に備わる折れスジと前記ミシン目とが交差する位置に開封開始穴を其々設けて成り、前記密封手段ならびに前記移動防止手段は、前記ミシン目が設けられる位置から開口側フラップ方向に一定幅の空白領域を空けて天地部とサイド部と糊下部を直線状に横断する可剥離性接着剤塗布領域を設けて成り、前記ミシン目を破ることによって封筒の開封性を容易なものとし、前記可剥離性接着剤塗布領域が設けられることによって封筒内の書類が収められる領域の密封性を確保すると共に、封筒内の書類のミシン目側への移動を制限する手段を採ったことを最大の特徴とする。以下、本発明にかかる易開封性封筒の実施形態を、図面に基づいて説明する。
【００３１】
尚、本発明における易開封性封筒は、以下に述べる実施例の構成に特に限定されるものではなく、本発明の趣旨に逸脱しない範囲内において任意に変更可能である。
【実施例１】
【００３２】
図１は、本発明における請求項１記載の易開封性封筒１０の実施形態を示す説明図である。
本実施例における易開封性封筒１０は、ミシン目２０による易開封性手段と、可剥離性接着剤塗布領域３１による密封手段ならびに封筒１１内の書類Ｓの移動防止手段を備えて構成される。
【００３３】
封筒１１は、センター貼りされる長形の封筒であって、天地部１２の両サイドにサイド部１３と糊下部１４を配置すると共に、上部に開口側フラップ１５を配置し且つ下部に封止側ボトム１６を配置して其々が連接されて成り、該サイド部１３と糊下部１４とを折れスジ１７で内側に折り込み、重ね合わさった糊代部を糊で貼着して構成されるものである。例えば、長形３号封筒では幅120ｍｍ×長さ235ｍｍの寸法を有し、Ａ4判を長辺三つ折にして書類ＳやＤＭの定形郵便物として使用するものである。
【００３４】
ミシン目２０は、封筒１１の封止側ボトム端折れスジ１８から開口側フラップ１５方向に一定の間隔を空けて天地部１２とサイド部１３と糊下部１４を直線状に横断して形成されるものである。該ミシン目２０の形状は、歯長さ２ｍｍ以下、止め長さ１ｍｍ以下とし、該ミシン目２０にストレスが掛かるような段差がない形状で形成されるものである。
【００３５】
ところで、封止側ボトム端折れスジ１８からのミシン目２０の位置については、図１（ｆ）に示すように、封止側ボトム１６を含んだ位置にミシン目２０を設けると厚み３枚分のミシン目２０の止め部を引き裂かなければならないこととなるため、図１（ａ）乃至（ｄ）に示すように、封止側ボトム１６の幅を回避して設けることが好ましい。かかる態様により、ミシン目２０の止め部が天地部１２とサイド部１３または糊下部１４の厚み２枚分で済むため、引き裂き性が良くなるものである。しかしながら、定形郵便物に納まる形状で本発明における易開封性手段と密封手段ならびに封筒１１内の書類Ｓの移動防止手段を設けなければならない場合は、あえて図１（ｆ）のようにミシン目２０を封止側ボトム１６に掛かるように設ける態様も可能である。
【００３６】
このように、本発明にかかる易開封性封筒１０によれば、ミシン目２０を引き裂く行為をしなければ封筒１１を開封して封筒１１内の書類Ｓを取り出すことができない構造であることから、不正開封がされない絶対的信頼性と密封性を有するもので、秘密性の高い信書や重要書類、現金書留、書留郵便物などに使用することができるものである。
【００３７】
開封開始穴２１は、天地部１２とサイド部１３との境界および天地部１２と糊下部１４との境界に備わる折れスジ１７と前記ミシン目２０とが交差する位置に其々設けられるものである。略菱形状の開封開始用の穴が設けられることによって、ミシン目２０の引き裂き開始時の引き裂き性を容易なものとするものである。
【００３８】
可剥離性接着剤塗布領域３１は、ミシン目２０が設けられる位置から開口側フラップ１５方向に一定幅の空白領域３０を空けて天地部１２とサイド部１３と糊下部１４を直線状に横断するように設けられる。該可剥離性接着剤塗布領域３１に塗布される接着剤としては、例えばアクリルやシリカ等を主成分とする再接着性がない可剥離性接着剤ＣＦＷ−２５０（商品名）等が考え得る。
【００３９】
上記通り接着剤が塗布された可剥離性接着剤塗布領域３１を貼着することによって、開口側フラップ１５の貼着領域と可剥離性接着剤塗布領域３１の貼着領域の間で形成される封筒１１内の書類Ｓが収められる領域３２を完全に孤立させ、密封性を確保するものである。
また、上記の位置に可剥離性接着剤塗布領域３１を設けることによって、封筒１１内の書類Ｓのミシン目２０側への移動を制限する移動防止手段となるものである。
【００４０】
空白領域３０は、ミシン目２０が設けられる位置から開口側フラップ１５方向に一定幅を空けて設けられるものである。かかる空白領域３０が設けられることによって、天地部１２とサイド部１３と糊下部１４とで形成される開口口１９を両手で簡単に押し広げることが可能となり、封筒１１内に内封されている書類Ｓを容易に取り出すことができるものである。
【００４１】
図１（ａ）は、センター貼りの易開封性封筒１０の展開した状態を示す説明図である。
該易開封性封筒１０は、天地部１２の両サイドにサイド部１３と糊下部１４を配置すると共に、上部に開口側フラップ１５を配置し且つ下部に封止側ボトム１６を配置して其々が連接されて成り、該サイド部１３と糊下部１４とを折れスジ１７で内側に折り込で形成されるセンター貼りの長形の封筒１１に、封止側ボトム端折れスジ１８から開口側フラップ１５方向に一定の間隔を空けて天地部１２とサイド部１３と糊下部１４を直線状に横断するミシン目２０を形成すると共に、天地部１２とサイド部１３との境界および天地部１２と糊下部１４との境界に備わる折れスジ１７と前記ミシン目２０とが交差する位置に開封開始穴２１を其々設け、さらにミシン目２０が設けられる位置から開口側フラップ１５方向に一定幅の空白領域３０を空けて天地部１２とサイド部１３と糊下部１４を直線状に横断する可剥離性接着剤塗布領域３１を設けて型抜き切断ならびに折込みされるものである。
【００４２】
図１（ｂ）は、センター貼りの易開封性封筒１０の貼り上げた状態を示す説明図である。
該易開封性封筒１０は、天地部１２の両サイドに配置されるサイド部１３と糊下部１４を折れスジ１７で内側に折り込んで、重ね合わさった糊代部を糊で貼着すると共に、下部に設けられる封止側ボトム１６を封止側ボトム端折れスジ１８で内側に折り込んで、サイド部１３および糊下部１４の上から糊で貼着することで、上部の開口側フラップ１５が開封された状態の封筒１１に貼り上げるものである。尚、ミシン目２０の歯長さと止め長さが正確に重ね合わせるためにはミシン目２０の加工は封筒１１を貼り上げた以降に設けた方が好ましいが、本発明ではコスト面を考慮して最初の切断・折込み工程で加工する方法を図示している。
【００４３】
図１（ｃ）は、センター貼りの易開封性封筒１０に書類Ｓが内封された状態を示す説明図である。
開口側フラップ１５が開封された封筒１１に書類Ｓを挿入し、開口側フラップ１５を閉じて糊で貼着して封書としたものである。
【００４４】
図１（ｄ）は、センター貼りの易開封性封筒１０の封止側を開封した状態を示す説明図である。
封筒１１の封止側ボトム端折れスジ１８から開口側フラップ１５方向に一定の間隔を空けて設けられたミシン目２０を切り裂くことによって、書類Ｓが収められている封筒部１１aと、封止側ボトム１６が形成されている封筒部１１ｂに分離されるものである。そのミシン目２０を切り裂く際に、天地部１２とサイド部１３との境界および天地部１２と糊下部１４との境界に備わる折れスジ１７が交差するミシン目２０の開封開始端に開封開始穴２１が設けられていることによって、ミシン目２０を両端何れの方向からも容易に切り裂くことができるものである。
【００４５】
図１（ｅ）は、センター貼りの易開封性封筒１０の封止側を開封して書類Ｓを取り出す状態を示す説明図である。
ミシン目２０が設けられる位置から開口側フラップ１５方向に一定幅の空白領域３０が形成されることにより、該空白領域３０を指で押し広げて可剥離性接着剤塗布領域３１による貼着状態を解除して、ミシン目２０で開封された開口口１９から封筒１１内の書類Ｓを取り出すものである。
【００４６】
図１（ｆ）はセンター貼りの易開封性封筒１０の別のミシン目２０を設ける位置を示す説明図である。
定形郵便物に納まる形状で本発明における易開封性手段と密封手段ならびに封筒内の書類の移動防止手段を設けなければならない場合は、あえてミシン目２０による引き裂き性をある程度犠牲にして、該ミシン目２０を封止側ボトム１６に掛かるように設けることもできる。
【００４７】
尚、内カマス貼りならびに外カマス貼りされる長形（洋形又は横型）の封筒１１は、基本的にはセンター貼りの封筒と構造は同じであり、横向きの状態にして使用されるものである。したがって、開口側フラップ１５と封止側ボトム１６が横方向に配置され、上部に位置するサイド部１３の高さ寸法が短くなり、下方部に位置する糊下部１４の高さ寸法が長くなり、横方向の何れか一方に本発明による易開封性手段と、密封手段ならびに封筒内の書類の移動防止手段が設けられて使用されるものである。
【００４９】
また、本発明における易開封性封筒１０の密封手段および封筒１１内の書類Ｓの移動防止手段については、再接着性がない可剥離性接着剤ＣＦＷ−２５０（商品名）等で貼着する手段を用いて説明したが、該可剥離性接着剤の接着強度を製造段階で微調整することによって、使用後に保存用の封筒１１として綴じて保管することもできるものである。
【実施例２】
【００５０】
図２は本発明における請求項２記載の易開封性封筒１０の実施形態を示す説明図であり、図２（ａ）は封筒１１の空白領域３０に綴じ込み穴３３を設けた実施形態を示す説明図である。
本実施例の易開封性封筒１０は、上述した第一の実施例に加え、封筒１１の空白領域３０にミシン目２０に沿って綴じ込み穴３３を列設して形成されるものである。
【００５１】
綴じ込み穴３３は、リング式綴じ込みバインダー３４のリングのピッチに合わせ、封筒１１の空白領域３０にミシン目２０に沿って列設されるものである。綴じ込み穴３３が空白領域３０に設けられて可剥離性接着剤塗布領域３１で密閉することによって、書類が収められる領域３２は完全に密封されて封筒１１に内封されている書類Ｓを保護するものである。
【００５２】
図２（ｂ）は、空白領域３０に綴じ込み穴３３を設けた封筒１１の使用状態を示す説明図である。
使用済みになった易開封性封筒１０や保存用の易開封性封筒１０を、リング式綴じ込みバインダー３４に綴じて保管することができるものである。
【実施例３】
【００５３】
図３は、本発明における請求項３記載の易開封性封筒１０の実施形態を示す説明図である。
本実施例の易開封性封筒１０は、上述した各実施例に加え、封筒１１の開口側フラップ１５の内側に剥離紙３６で覆被した強接着糊層３５を設けると共に、封筒１１の封止側ボトム１６の内側には強接着糊層３５を設けて貼着することで、封筒１１の封入作業を簡便化にし、且つ接着性をより強固にするものである。
【００５４】
このように、封筒１１の開口側フラップ１５に剥離紙３６で覆被した強接着糊層３５を使用することによって、封筒１１の開口側フラップ１５と封止側ボトム１６が強接着糊層３５よって両側から完全に封止されることになるため、セキュリティの高い文書の送付ならびに秘密性の高い信書や重要書類、現金書留、書留郵便物などに使用することができるものである。
【産業上の利用可能性】
【００５５】
本発明における易開封性封筒１０は、主に書類やＤＭの送付用の定形郵便物として使用されるものであるが、その他の利用方法としては宅配便用の紙パックとしてや、事務用の保管袋体としても多様に利用することができるもので、本発明における「易開封性封筒」の産業上の利用可能性は極めて大であるものと解する。
【符号の説明】
【００５６】
１０    易開封性封筒
１１    封筒
１１ａ  書類が収められている封筒部
１１ｂ  封止側ボトムが形成されている封筒部
１２    天地部
１３    サイド部
１４    糊下部
１５    開口側フラップ
１６    封止側ボトム
１７    折れスジ
１８    封止側ボトム端折れスジ
１９    開口口
２０    ミシン目
２１    開封開始穴
３０    空白領域
３１    可剥離性接着剤塗布領域
３２    書類が収められる領域
３３    綴じ込み穴
３４    リング式綴じ込みバインダー
３５    強接着糊層
３６    剥離紙
Ｓ    書類
【要約】
【課題】ミシン目による易開封性手段と、再接着性がない可剥離性接着剤による密封手段ならびに封筒内の書類の移動防止手段を備える易開封性封筒の提供を図る。
【解決手段】易開封性封筒における易開封性手段は、封筒の封止側ボトム端折れスジから開口側フラップ方向に一定の間隔を空けて天地部とサイド部と糊下部を直線状に横断するミシン目を設けると共に、天地部とサイド部との境界および天地部と糊下部との境界に備わる折れスジとミシン目とが交差する位置に開封開始穴を其々設けて成り、密封手段ならびに移動防止手段は、ミシン目が設けられる位置から開口側フラップ方向に一定幅の空白領域を空けて天地部とサイド部と糊下部を直線状に横断する可剥離性接着剤塗布領域を設けて成り、ミシン目を破ることによって封筒の開封性を容易なものとし、可剥離性接着剤塗布領域が設けられることによって封筒内の書類が収められる領域の密封性を確保すると共に、封筒内の書類のミシン目側への移動を制限する手段を採る。
【選択図】図１【図１】
0005223139.tif 000002
【図２】
0005223139.tif 000003
【図３】
0005223139.tif 000004